(57)【要約】【課題】  犯罪の抑止効果を有し、低コストであり、窓ガラスが破損した際のガラスの破片の飛散とガスバーナによる火災発生を可及的に防止することが可能な防犯用窓ガラスシールを提供することを目的とする。【解決手段】  裏面に粘着材３を介して剥離シート２を貼着した耐熱性表シート４にてシール部材５を形成し、このシール部材５に切り込み６を剥離シート２および耐熱性表シート４を貫通して設けて成る。そして、前記耐熱性表シート４として、金属シートまたは耐熱性を有するプラスチックシートを用いる。【選択図】          図４
2005299204.tif 000002
【特許請求の範囲】
【請求項１】
裏面に粘着材を介して剥離シートを貼着した耐熱性表シートにてシール部材を形成し、このシール部材に切り込みを剥離シートおよび耐熱性表シートを貫通して設けたことを特徴とする防犯用窓ガラスシール。
【請求項２】
前記耐熱性表シートとして、金属シートまたは耐熱性を有するプラスチックシートを用いることを特徴とする請求項１記載の防犯用窓ガラスシール。
【発明の詳細な説明】
【技術分野】
【０００１】
本発明は、窓に設けられた錠前を遮蔽するように、窓ガラスの内側に貼着して使用される防犯用窓ガラスシールに関する。
【背景技術】
【０００２】
近年、窓ガラスの錠前近辺を鋭利な器具で割り、内部に手を差し込んで錠前に設けられた鍵を廻わし、窓を開けて建物内部に浸入するという犯罪が増えている。
【０００３】
また、窓ガラスの錠前近辺を携帯用のガスバーナで熱して膨張させた後、すぐに濡れタオル等で冷やして収縮させることにより、窓ガラスの当該部分を破損させて前記と同じように建物内部に浸入する犯罪も増えている。
【０００４】
従来、このような犯罪に対処するために、窓ガラスの内部に金属製のネットを埋設したり、あるいは窓ガラスの内側全面に高強度のシール部材を貼着することで窓ガラスの破損を防ぐことが行われている。
【特許文献１】特になし
【発明の開示】
【発明が解決しようとする課題】
【０００５】
しかしながら、前記した従来の手法では、いずれも高コストであり、窓ガラスが破損した際に多くのガラスの破片が室内に飛び散るため、それらの除去作業が面倒で、しかも危険でもあり、かつガスバーナによる火災発生のおそれがある等の問題があった。
【０００６】
本発明は、このような従来の問題点を考慮してなされたものであり、犯罪の抑止効果を有し、低コストであり、窓ガラスが破損した際のガラスの破片の飛散とガスバーナによる火災発生を可及的に防止することが可能な防犯用窓ガラスシールを提供することを目的とする。
【課題を解決するための手段】
【０００７】
上記目的を達成するため、請求項１の発明の防犯用窓ガラスシールは、裏面に粘着材を介して剥離シートを貼着した耐熱性表シートにてシール部材を形成し、このシール部材に切り込みを剥離シートおよび耐熱性表シートを貫通して設けたことを特徴とする。
【０００８】
また、請求項２の発明の防犯用窓ガラスシールは、前記耐熱性表シートとして、金属シートまたは耐熱性を有するプラスチックシートを用いることを特徴とする。
【発明の効果】
【０００９】
請求項１の発明の防犯用窓ガラスシールによれば、次のような効果を有する。
１．シール部材一側の剥離シートを剥して露出した粘着材の面を窓ガラスの内側に錠前を遮蔽するようにして貼着すれば、窓の外側から鍵が見え難いうえに、窓ガラスも割れ難く、しかも窓ガラスの破損から鍵開けまでの時間が長く掛かるため、犯罪抑止の効果がある。
【００１０】
２．シール部材に切り込みが設けられており、窓ガラスが破損したとき、多数の破片が粘着材を介してシール部材に付着してぶらさがるため、ペンチ等の工具類で一個一個破片を取り除くか、あるいは頑丈な皮手袋等をはめて手を差し込み鍵を開けることが必要となり、これまた犯罪抑止の効果がある。
さらに、窓ガラスの破片が室内に飛び散る量を少なくすることができるため、住人による除去作業が容易でかつ危険性も少ないものである。
【００１１】
３．本シールは窓ガラスの一部に貼着できる大きさや形状に形成すればよいため、低コストで、しかも外からの光の遮断を最小限にすることができる。また、本シールを上下対称に形成することにより、左右どちらの窓ガラスにも貼着することができ、経済性および利便性が高いものである。
【００１２】
さらに、請求項２の発明の防犯用窓ガラスシールによれば、次のような効果を有する。シール部材の表シートとして、耐熱性の金属シートやプラスチックシート使用するため、例え窓ガラスの外側から携帯用のガスバーナ等を使用して加熱しても簡単には窓ガラスを破損させることが困難で、これまた犯罪抑止の効果があると共に、建物の火災発生を防止する効果がある。
【発明を実施するための最良の形態】
【００１３】
以下、本発明を実施するための最良の形態を図面に基づいて詳細に説明する。
図１は、本発明の防犯用窓ガラスシールの正面図、図２は、同上の背面図、図３は、同上の側面図、図４は、同上の分解斜視図、図５は、同上の使用状態を示す参考斜視図、図６は、同上の使用状態を示す側断面図、図７は、窓ガラスが破損した状態を示す同上の参考斜視図である。
【００１４】
この実施の形態の防犯用窓ガラスシール１は図１〜図７に示したように、裏面に紙製の剥離シート２を粘着材３を介して貼着した耐熱性表シート４にてシール部材５を形成し、このシール部材５に切り込み６を剥離シート２および耐熱性シート４を貫通して設けたものである。
【００１５】
シール部材５の形状は図示例では、中央一側に円弧状の膨出部５ａを設けると共に、上下両端の外側を落して円弧状の切り欠き５ｂを設けた帯状片に形成してあるが、かかる形状に限定されるものではない。しかし、後述するように２枚の窓ガラスのどちらにも貼着できるように、上下対称の形状とするのが望ましいものである。
【００１６】
耐熱性表シート４としては耐熱性の金属シートあるいはプラスチックシートを使用する。耐熱性の金属シートとしては、アルミニウム、ステンレス、鉄、銅、真鍮等を例えば、約０．３ｍｍ〜０．７ｍｍ程度の薄板状に形成したものが好適である。一方、耐熱性のプラスチックシートとしては、耐熱性を備えたポリカーボネート樹脂等が好適であるが、必ずしも耐熱性プラスチックでなくとも、これにリン系、ハロゲン系などの難燃剤を添加することにより耐熱性を向上させたプラスチックシートを使用することもできる。このように耐熱性の金属シートやプラスチックシートを表シート４として使用することによりシール部材５全体に対して難燃性や耐熱性を付与することができる。
【００１７】
切り込み６としては、窓ガラスが破損したときに破片がシール部材５に設けられた粘着材３に付着してぶらさがることができるようなものであればよい。図示例では、シール部材５の中央部に円弧部６ａとその外側に複数本（図面では５本）の直線部６ｂをほぼ等間隔に連設したものとなっているが、かかる平面形状に限定されるものではない。
【００１８】
なお、図５〜図７において、図中１０は窓ガラス、１１は窓枠、１２は錠前で、鍵１２ａと、これが掛け外し自在に係合する受金１２ｂにて形成されている。
【００１９】
この実施の形態の防犯用窓ガラスシール１の使用に際しては、先ずシール部材５から剥離シート２を剥し、露出した粘着材３の面を窓ガラス１０内面に縦に貼るが、シール部材５を貼る窓ガラス１０の部分は、錠前１２がシール部材５の中央部で遮蔽されるように窓枠１１に沿った位置が最適である。
【００２０】
このように窓ガラスシール１を貼着すれば、万一、窓ガラス１０の貼着部分が外側から鋭利な器具で破損させられても、ガラスの破片の一部が耐熱性表シート４の裏面に設けられた粘着材３に付着してぶらさがるため、破片全部が部屋内に飛散することがない。また、携帯用のガスバーナ等で窓ガラス１０の当該部分を加熱しても燃え難く、火災を防止することができる。
【００２１】
ところで、当該窓ガラスシール１は図示例のように上下対称に形成するのが望ましく、これにより反対側の窓ガラス１０内面の同位置にも対称に貼着することができるため、左右どちらの窓ガラス１０の破損にも対処することができる。
【００２２】
さらに、表シート４は、シール部材５を窓ガラス１０に粘着したとき表側に位置するので、表シート４表面に絵や文字などの装飾を施せば商品の品質をいっそう向上させることができる。
【図面の簡単な説明】
【００２３】
【図１】本発明の防犯用窓ガラスシールの正面図である。
【図２】同上の背面図である。
【図３】同上の側面図である。
【図４】同上の分解斜視図である。
【図５】同上の使用状態を示す参考斜視図である。
【図６】同上の使用状態を示す側断面図である。
【図７】窓ガラスが破損した状態を示す同上の参考斜視図である。
【符号の説明】
【００２４】
１    防犯用窓ガラスシール
２    剥離シート
３    粘着材
４    耐熱性表シート
５    シール部材
６    切り込み
【図１】
2005299204.tif 000003
【図２】
2005299204.tif 000004
【図３】
2005299204.tif 000005
【図４】
2005299204.tif 000006
【図５】
2005299204.tif 000007
【図６】
2005299204.tif 000008
【図７】
2005299204.tif 000009